(57)【要約】【課題】物品を収納して運搬することを可能とし、しかも、火災の勢いが盛んになったような場合に、物品の収納、運搬に代えて、自己の頭部を火の粉等から護りながら避難することを可能とする。【解決手段】取手Ｆｔを有すると共に、物品を出し入れする開口部Ｆｏ１を有する袋体Ｆにおいて、全体が難燃性の生地で構成されていると共に、開口部Ｆｏ１から離れた所定位置に、ファスナーＦｆで開閉される補助開口部Ｆｏ２を有しており、しかも、補助開口部Ｆｏ２を開閉するファスナーＦｆは、開放位置及び開放範囲を調整するための１対のファスナー操作部材Ｆｆｏを有している。【選択図】図１
0003153767.tif 000002
【実用新案登録請求の範囲】
【請求項１】
取手（Ｆｔ）を有すると共に、物品を出し入れする開口部（Ｆｏ１）を有する袋体（Ｆ）において、
全体が難燃性の生地で構成されていると共に、開口部（Ｆｏ１）から離れた所定位置に、ファスナー（Ｆｆ）で開閉される補助開口部（Ｆｏ２）を有していることを特徴とする袋体。
【請求項２】
ファスナー（Ｆｆ）は開放位置及び開放範囲を調整するための１対のファスナー操作部材（Ｆｆｏ）を有していることを特徴とする請求項１に記載の袋体。
【請求項３】
補助開口部（Ｆｏ２）を基準として、開口部（Ｆｏ１）と反対側の所定位置に反射テープ（Ｆｈｔ）が設けられていることを特徴とする請求項１または請求項２に記載の袋体。
【請求項４】
緩衝層を袋体（Ｆ）の内面に有し、かつ、所定位置に外部音を内部に導入するための耳穴（Ｆｍ）を有していることを特徴とする請求項１から請求項３の何れかに記載の袋体。
【考案の詳細な説明】
【技術分野】
【０００１】
本考案は、取手を有すると共に、物品を出し入れする開口部を有する袋体に関し、特に、非常持出用品を持ち出すのに好適な非常持出袋に関する。
【背景技術】
【０００２】
従来から、取手を有すると共に、物品を出し入れする開口部を有する袋体として、ザック、パック、リュックサック等が知られている。
このような袋体のうち、特に、非常持出用品を持ち出すのに好適な非常持出袋としても、ザックタイプのもの、パックタイプのもの、リュックサックタイプのもの等が知られている。
そして、非常持出袋を持ち運ぶ可能性がある現場環境としては、火災現場、地震現場、水害現場等があるが、これらのうち、火災現場で非常持出袋を持ち運ぶ場合には、火の粉等の影響を受け易いにも拘わらず、難燃性の生地で構成された非常持出袋を採用することによって、非常持出用品を安全に持ち運ぶことができる。
【０００３】
また、特許文献１に示すように、リュックサックと手提げ内袋に変貌する内袋と、防災頭巾とリュックサックと手提げ外袋に変貌する外袋とからなり、外袋はその一側部をファスナーにより開閉自在とするとともに上部開口縁付近回りに紐通し筒を配設して両外端に紐通し筒の筒口より大きいストッパーを装着した絞り紐を挿通し、また、上部中央部位に内袋の結び紐の通し孔を設け、さらに両下隅に結び紐の掛止駒の通し環を取り付けて構成されてなる防災用具も提案されている。
この防災用具のうち、外袋のみについてみれば、防災頭巾とリュックサックと手提げ外袋に変貌すると記載されている。
したがって、災害発生時には、外袋を防災頭巾に変貌させて使用すればよく、頭部を効果的に護りながら避難することができると思われる。ただし、外袋の全体が難燃性の生地等で構成されることは記載されていない。
【０００４】
しかし、防災頭巾としての使用状態は、ファスナーを全開にした状態であり、顔に対応する部分が余りにも広く開口しすぎてしまい、火災発生時には、火の粉等の影響を受け易くなってしまう。また、火災以外の災害が発生した場合には、飛散物等の影響を受け易くなってしまう。
また、防災頭巾としての使用状態は、ファスナーを全開にした状態であり、しかも、ファスナー操作部材が額よりも上方に位置しているのであるから、ファスナーの開き加減を調節して口、鼻を覆い、視界を確保しつつ煙等の吸入を抑制することはできない。換言すれば、ファスナーの開き加減を調節すると、口、鼻を覆う前に目を覆うことになってしまい、視界を確保できないので、安全な避難には寄与することができない。すなわち、ファスナーの開き加減を調節することは不可能である。
【先行技術文献】
【特許文献】
【０００５】
【特許文献１】実開平０５−０４３９１９号公報
【考案の概要】
【考案が解決しようとする課題】
【０００６】
本考案が解決しようとする課題は、以下の通りである。
（１）本考案が解決しようとする第１課題
物品を収納して運搬することを可能とし、しかも、火災の勢いが盛んになったような場合に、物品の収納、運搬に代えて、自己の頭部を火の粉等から護りながら避難することを可能とする袋体を提供することである。
（２）本考案が解決しようとする第２課題
ファスナーの開き加減を調節して口、鼻を覆い、視界を確保しつつ煙、有害ガス等の吸入を抑制することを可能とする袋体を提供することである。
（３）本考案が解決しようとする第３課題
自己の存在を他人にわかり易くすることを可能とする袋体を提供することである。
（４）本考案が解決しようとする第４課題
衝撃から頭部を保護し、しかも外部の音を聞こえ易くすることを可能とする袋体を提供することである。
【課題を解決するための手段】
【０００７】
課題を解決するための手段は、本願の［実用新案登録請求の範囲］の各請求項に記載の考案である。
実用新案登録請求の範囲、明細書、図面等の用語の解釈上の疑義を解消すべく、以下、用語の説明を行うこととする。
＜用語の説明＞
○袋体とは、物品を取り出し可能に収納することができるものをいい、ザック、パック、リュックサックなどが例示できる。
○取手とは、袋体に取り付けられた紐体をいい、広幅のものであってもよく、狭幅のものであってもよい。また、袋体と同じ材質のものであってもよく、異なる材質のものであってもよい。さらに、手に持つのに適したように短いものであってもよく、肩に掛けるのに適したように長いものであってもよい。肩にかけるのに適したものとする場合には、１対の取手を設けることが好ましい。
○開口部とは、物品を袋体に出し入れするために、袋体の所定位置に設けられたものであり、出し入れする物品の大きさ、特に最も大きい物品の大きさに合わせて開口部の大きさが設定される。
○難燃性とは、着火又は延焼し難いことをいう。
○難燃性の生地とは、全体として難燃性を有する生地であり、具体的には、難燃性の繊維からなる生地、難燃加工を施してなる生地等が例示できる。
○物品とは、運搬可能な大きさ、重さのものである。
○非常持出用物品とは、火災、水害、地震災害等が発生した場合に、持ち出すべき物品であり、避難生活をするに当って、是非とも必要なものである。具体的には、食料品、飲料水、衛生用品、医薬品、貴重品、防寒具等が例示できる。
○ファスナーとは、互いに噛み合う金属等の小片を２本の布テープに取り付け、開閉できるようにしたものであり、ファスナー操作部材を移動させることによって、小片どうしを噛み合わせ、もしくは噛み合いを外すことができる。具体的には、ファスナー操作部材を一方向に移動させることによって、小片どうしを噛み合わせ、逆方向に移動させることによって、噛み合いを外すことができる。
○補助開口とは、袋体としての通常の使用状態においては使用されない開口であり、開口部から離れた所定位置に設けられ、かつファスナーで開閉可能に構成されている。
○反射テープとは、物体に貼り付けられたときに外側になる面を鏡面にしてなるものであり、光を効果的に反射することによって視認性を高めることができる。
○緩衝層とは、衝撃を緩和するための層であり、ウレタン等の緩衝性に優れた素材からなる層が例示できる。
○耳穴とは、外部音を袋体の内部に導入するための穴であり、補助開口から頭部を入れ、かつ開口部と顔を正対させた状態において耳に対応する位置に形成されていることが好ましい。このように耳穴を設けることによって、緩衝層を通しての音の伝達が悪いにも拘らず、外部音を良好に聞くことができ、避難時の安全性を向上させることができる。
【０００８】
本考案者は、上記の従来技術が有する各種の問題点に鑑み、鋭意研究を重ねて、本考案を完成した。
本考案者が、本考案が解決しようとする課題の重要性に気付く契機となったのは、従来技術の欠点を生じる最大の原因が、外袋の一側部をファスナーにより開閉自在とし、この部分から顔を出す構成を採用したことによって、顔を出す部分の大きさが自動的に定まってしまうことに気付いたことである。
また、顔の全体を露出させることになってしまうことに気付いたことである。
【０００９】
本件考案者は、顔を必要以上に露出させることなく、火災発生時等により安全な避難を可能にするものはないかと種々検討・模索を重ねて、本考案を完成した。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
取手を有すると共に、物品を出し入れする開口部を有する袋体において、
全体が難燃性の生地で構成されていると共に、開口部から離れた所定位置に、ファスナーで開閉される補助開口部を有していることを特徴とする袋体である。
第１の考案であれば、袋体の補助開口部を閉じておいて、開口部から所望の物品を収納することができる。そして、袋体を空にしておいて、補助開口部を開くことによって、難燃性の頭巾として使用することができる。
特に、非常持出袋として使用する場合には、避難生活をするに当って、是非とも必要なもの、例えば、食料品、飲料水、衛生用品、医薬品、貴重品、防寒具等を開口部から収納することができる。
そして、水害、地震災害等が発生した場合には、非常持出袋を持って速やかに避難することにより、その後の避難生活をおくることができる。
また、火災が発生した場合であって、火の粉等の影響が大きくない場合には、非常持出袋を持って速やかに避難することにより、その後の避難生活をおくることができる。
また、火災が発生した場合であって、火の粉等の影響が大きい場合には、身体を護ることを優先する必要があるので、非常持出袋を空にし、補助開口部を開き、開口部を通して頭部を袋体に入れ、顔を開口部に正対させる。この状態においては、全体が難燃性の生地で構成されている袋体が頭部を効果的に火の粉等から護ってくれるので、安全な避難を達成することができる。
特に、各家庭において、人数分より多い数の非常持出袋を準備しておけば、避難者全員について防災頭巾として使用させ、余剰数の非常持ち出し袋に非常持出物品を収納した状態で、これらを持って避難することによって、避難の安全性と避難後の生活とを両立させることができる。
○第２の考案（請求項２に記載の考案）
上記の課題を解決するための第２の考案（請求項２に記載の考案）は、
ファスナーは開放位置及び開放範囲を調整するための１対のファスナー操作部材を有していることを特徴とする請求項１に記載の袋体である。
第２の考案であれば、開口部を全開にしておくのではなく、ファスナー操作部材によって、口のみ、又は口と鼻を覆い、目を出すように開口部の開き具合を調整することができる。
この結果、火の粉の影響のみならず、煙、有害ガス等の影響をも大幅に低減することができ、この面からも避難時の安全性を高めることができる。
○第３の考案（請求項３に記載の考案）
上記の課題を解決するための第３の考案（請求項３に記載の考案）は、
補助開口部を基準として、開口部と反対側の所定位置に反射テープが設けられていることを特徴とする請求項１または請求項２に記載の袋体である。
第３の考案であれば、頭頂部側に反射テープを位置させることができ、グループで避難している場合における他の避難者、救助活動を行う救助者による視認性を高めることができ、安全に避難できる可能性、救助される可能性を共に高めることができる。
○第４の考案（請求項４に記載の考案）
上記の課題を解決するための第４の考案（請求項４に記載の考案）は、
緩衝層を袋体の内面に有し、かつ、所定位置に外部音を内部に導入するための耳穴を有していることを特徴とする請求項１から請求項３の何れかに記載の袋体である。
第４の考案であれば、緩衝層によって頭部を衝撃から保護することができる。
そして、緩衝層の存在によって外部の音が聞こえ難くなっているにも拘らず、耳穴を通して外部の音を良好に聞くことができる。
したがって、グループで避難している場合における指示、例えば、避難方向の指示、危険物の存在の周知のための指示等を確実に聞き取ることができ、救助活動を行う救助者による呼びかけを確実に聞くことができ、これらの結果、安全に避難できる可能性、救助される可能性を共に高めることができる。
【考案の効果】
【００１０】
本考案に係る袋体は、上記のような特徴的構成要件から構成され、特徴的構成要件に応じた、以下のような本願考案特有の効果を奏する。
また、上記のような特徴的構成要件から構成された袋体によれば、本願考案の課題を解決することができた。
○第１の考案の効果
第１の考案によれば、取手を有すると共に、物品を出し入れする開口部を有する袋体において、全体が難燃性の生地で構成されていると共に、開口部から離れた所定位置に、ファスナーで開閉される補助開口部を有しているという特徴的な構成要件により、
袋体の補助開口部を閉じておいて、開口部から所望の物品を収納することができ、また、袋体を空にしておいて、補助開口部を開くことによって、難燃性の頭巾として使用することができる袋体を提供することができた。
特に、非常持出袋として使用する場合には、避難生活をするに当って、是非とも必要なもの、例えば、食料品、飲料水、衛生用品、医薬品、貴重品、防寒具等を開口部から収納することができる。
そして、水害、地震災害等が発生した場合には、非常持出袋を持って速やかに避難することにより、その後の避難生活をおくることができる。
また、火災が発生した場合であって、火の粉等の影響が大きくない場合には、非常持出袋を持って速やかに避難することにより、その後の避難生活をおくることができる。
また、火災が発生した場合であって、火の粉等の影響が大きい場合には、身体を護ることを優先する必要があるので、非常持出袋を空にし、補助開口部を開き、開口部を通して頭部を袋体に入れ、顔を開口部に正対させる。この状態においては、全体が難燃性の生地で構成されている袋体が頭部を効果的に火の粉等から護ってくれるので、安全な避難を達成することができる。
すなわち、本考案が解決しようとする第１課題を達成することができ、当業者予測不可能な顕著な効果を奏することができた。
○第２の考案の効果
第２の考案によれば、ファスナーは開放位置及び開放範囲を調整するための１対のファスナー操作部材を有しているという特徴的な構成要件により、
開口部を全開にしておくのではなく、ファスナー操作部材によって、口のみ、又は口と鼻を覆い、目を出すように開口部の開き具合を調整することができる袋体を提供することができた。
この結果、火の粉の影響のみならず、煙、有害ガス等の影響をも大幅に低減することができ、この面からも避難時の安全性を高めることができる。
すなわち、本考案が解決しようとする第２課題を達成することができ、当業者予測不可能な顕著な効果を奏することができた。
○第３の考案の効果
第３の考案によれば、開口部を基準として、補助開口部と反対側の所定位置に反射テープが設けられているという特徴的な構成要件により、
頭頂部側に反射テープを位置させることができ、グループで避難している場合における他の避難者、救助活動を行う救助者による視認性を高めることができ、安全に避難できる可能性、救助される可能性を共に高めることができる袋体を提供することができた。
すなわち、本考案が解決しようとする第３課題を達成することができ、当業者予測不可能な顕著な効果を奏することができた。
○第４の考案の効果
第４の考案によれば、緩衝層を袋体の内面に有し、かつ、所定位置に外部音を内部に導入するための耳穴を有しているという特徴的な構成要件により、
緩衝層によって頭部を衝撃から保護することができ、緩衝層の存在によって外部の音が聞こえ難くなっているにも拘らず、耳穴を通して外部の音を良好に聞くことができる袋体を提供することができた。
したがって、グループで避難している場合における指示、例えば、避難方向の指示、危険物の存在の周知のための指示等を確実に聞き取ることができ、救助活動を行う救助者による呼びかけを確実に聞くことができ、これらの結果、安全に避難できる可能性、救助される可能性を共に高めることができる。
すなわち、本考案が解決しようとする第４課題を達成することができ、当業者予測不可能な顕著な効果を奏することができた。
【図面の簡単な説明】
【００１１】
【図１】本考案の袋体の一実施形態を示す概略正面図である。
【図２】防災頭巾としての使用状態を示す概略図である。
【考案を実施するための形態】
【００１２】
以下、添付図面を参照して、本考案の袋体の実施の形態を詳細に説明する。
本考案の袋体は、取手Ｆｔを有すると共に、物品を出し入れする開口部Ｆｏ１を有する袋体Ｆにおいて、全体が難燃性の生地で構成されていると共に、開口部Ｆｏ１から離れた所定位置に、ファスナーで開閉される補助開口部Ｆｏ２を有していることを特徴としている。
第２の考案の袋体は、ファスナーＦｆは開放位置及び開放範囲を調整するための１対のファスナー操作部材Ｆｆｏを有していることを特徴としている。
第３の考案の袋体は、補助開口部Ｆｏ２を基準として、開口部Ｆｏ１と反対側の所定位置に反射テープＦｈｔが設けられていることを特徴としている。
第４の考案の袋体は、緩衝層を袋体の内面に有し、かつ、所定位置に外部音を内部に導入するための耳穴Ｆｍを有していることを特徴としている。
［図１］は、本考案の袋体の一実施形態を示す概略正面図である。
この袋体Ｆは、物品を収納する袋本体Ｆｈと、袋本体Ｆｈを持ち運ぶための取手Ｆｔと、物品出し入れ用の開口部Ｆｏ１と、開口部Ｆｏ１から離れた所定位置に設けられた、ファスナーＦｆにより開閉される補助開口部Ｆｏ２と、開口部Ｆｏ１から頭部を入れた状態において耳とほぼ正対する耳穴Ｆｍとを有している。そして、開口部Ｆｏ１を閉じるための閉じ紐Ｆｃを有している。また、補助開口部Ｆｏ２を基準として、開口部Ｆｏ１と反対側の所定位置に反射テープＦｈｔがリング状に、又は半リング状に設けられている。
さらに、図１の実施形態では、１つのファスナー操作部材Ｆｆｏのみを有しているので、補助開口部Ｆｏ２は、全閉状態におけるファスナー操作部材Ｆｆｏの位置よりも全開状態におけるファスナー操作部材Ｆｆｏの位置に近い所定位置に設けられていることが好ましい。
なお、上記袋体Ｆの全体は難燃性の生地で構成されている。
ここで、難燃性の生地としては、従来公知のものを使用すればよい。
この袋体Ｆは、所定回数の洗濯（例えば、２５０回の選択）にも耐え、初期の難燃性を保つことができる耐久性を有するものであることが好ましい。
この袋体Ｆは、防炎製品認定委員会で承認される非毒性（一般毒性、接触皮膚障害性がないこと）（例えば、防炎協会認定番号：Ａ５８００１）を有するものであることが好ましく、煙毒性もないものであることがより好ましい。
この袋体Ｆは、帯電性が低く、静電気の発生が殆どないものであることが好ましい。
この袋体Ｆは、環境にやさしく、水質を保全し土壌を活性化する、無農薬・有機栽培によるオーガニックコットンからなるものであることが好ましい。
この袋体Ｆは、綾織物、又はバーバリー織り生地からなるものであることが好ましく、優れたデザイン性を持たせることができると共に、丈夫さ、水切れのよさをも持たせることができる。ここで、綾織物、又はバーバリー織り生地は、難燃性繊維からなるものであってもよく、又は、織り上げられた後に難燃加工が施されたものであってもよい。
そして、袋本体Ｆｈの内側にウレタンからなる緩衝層が設けられていることが好ましい。
もちろん、この場合には、耳穴Ｆｍに対応する位置に穴が形成されていることが好ましい。
そして、耳穴Ｆｍに対応させてハトメが装着されていることが好ましく、袋本体Ｆｈの補強に役立てることができる。
また、ファスナーＦｆは開放位置及び開放範囲を調整するための１対のファスナー操作部材Ｆｆｏを有していることが好ましく、避難者の顔に合わせて、補助開口部Ｆｏ２の最適な開放位置および開放範囲を簡単に設定することができる。
さらに、取手Ｆｔは、２箇所に設けられていることが好ましく、袋体Ｆを背負って運ぶことを容易にすることができる。そして、両手を自由にすることができるので、避難時の安全性を高めることができる。
上記の構成の袋体Ｆは、全体が難燃性の生地で構成されているので、火災発生時等において収納物品を安全に持ち出すための非常持出袋として使用することができる。ただし、エコバッグ、リュックサックとして使用することもできる。もちろん、袋体Ｆをぬいぐるみ、枕、クッション等の中にいれたままで避難してしまった場合であっても、袋体Ｆが難燃性の生地で構成されているので、軽度の火災発生時であれば、袋体Ｆの収納物品を保護することができる。
したがって、避難生活をするに当って、是非とも必要なもの、例えば、食料品、飲料水、衛生用品、医薬品、貴重品、防寒具等を開口部Ｆｏ１を通して袋本体Ｆｈの中に収納することができる。ただし、靴、衣類等を収納することもできる。
そして、水害、地震災害等が発生した場合には、袋体Ｆのみを持って避難し、又はぬいぐるみ、枕、クッション等と共に袋体Ｆを持って速やかに避難することにより、その後の避難生活をおくることができる。
また、火災が発生した場合であって、火の粉等の影響が大きくない場合には、袋体Ｆのみを持って避難し、又はぬいぐるみ、枕、クッション等と共に袋体Ｆを持って速やかに避難することにより、その後の避難生活をおくることができる。
【００１３】
また、火災が発生した場合であって、火の粉等の影響が大きい場合には、身体を護ることを優先する必要があるので、袋体Ｆを空にし、補助開口部Ｆｏ２を開き、開口部Ｆｏ１を通して頭部を袋本体Ｆｈに入れ、顔を補助開口部Ｆｏ２に正対させ、ファスナー操作部材Ｆｆｏにより補助開口部Ｆｏ２を開く。この状態においては、全体が難燃性の生地で構成されている袋体Ｆが頭部を効果的に火の粉等から護ってくれるので、安全な避難を達成することができる。
この場合において、図２に示すように、ファスナー操作部材Ｆｆｏを操作することによって、補助開口部Ｆｏ２の開き具合を調整し、口のみを覆うようにすることが好ましく、煙、有害ガスなどを口から吸い込む可能性を低減することができる。ただし、口及び鼻を覆うように補助開口部Ｆｏ２の開き具合を調整することが好ましく、煙、有害ガスなどを口から吸い込む可能性のみならず、鼻から吸い込む可能性をも低減することができる。
また、耳穴Ｆｍが形成されているので、外部の音を聞き取ることができ、音を聞きながら安全に避難することができる。
さらに、頭頂部にほぼ対応する位置に反射テープＦｈｔが設けられているので、他の避難者、救助者等から視認され易く、この面からも避難の安全性を高めることができる。
上記の構成の袋体Ｆは、火災発生時、地震発生時、水害発生時等の緊急時に持ち出し易いように目立つ場所に置いておくことが好ましい。
ただし、そのままでは、部屋の調度品とのバランスが悪いので、例えば、ぬいぐるみの中に袋体Ｆをそのまま収容しておくことが好ましく、普段から違和感なく身近に置いておくことができ、この結果、緊急時に、袋体Ｆを迅速に持ち出すことができる。この場合において、ぬいぐるみに収納する充填材としては、パウダービーズ、低反発ウレタン等が例示でき、袋体Ｆの存在が外からはわかりにくい状態にできる。
また、袋体Ｆへの収納物品が少ない場合、収納物品が薄い厚みのものである場合等には、枕の中、クッションの中、湯たんぽカバーの中、保冷材カバーの中等に収容しておくことができ、枕、クッション本来の性能を損なうことを大幅に低減することができる。そして、枕、クッションという身近な物の中に収容しておくことによって、普段から違和感なく身近に置いておくことができ、この結果、緊急時に、袋体Ｆを迅速に持ち出すことができる。
この場合において、枕、クッションに収納する充填材としては、パウダービーズ、低反発ウレタン等が例示でき、袋体Ｆの存在が外からはわかりにくい状態にできると共に、枕、クッション本来の使い勝手を高く維持し続けることができる。
【符号の説明】
【００１４】
Ｆ  袋体
Ｆｈ  袋本体
Ｆｔ  取手
Ｆｆ  ファスナー
Ｆｃ  閉じ紐
Ｆｈｔ  反射テープ
Ｆｍ  耳穴
Ｆｏ１  開口部
Ｆｏ２  補助開口部
Ｆｆｏ  ファスナー操作部材
【図１】
0003153767.tif 000003
【図２】
0003153767.tif 000004